(57)【要約】【課題】ユーザーの希望に応じて巻取りテンションを切り替えることができる記録装置を提供する。【解決手段】転写用紙１００に対して昇華型インクを付与することによって記録を行う記録部５と、記録部５により記録が行われた転写用紙１００を巻き取る巻取り部１３と、テンション設定操作を受け付ける操作部と、操作部が受け付けたテンション設定操作に基づいて、転写用紙１００の巻取りテンションの設定値である設定テンションを設定し、設定テンションに基づいて、巻取り部１３を制御する制御部とを備えた。【選択図】図１
2016150518.tif 000002
【特許請求の範囲】
【請求項１】
媒体に対してインクを付与することによって記録を行う記録部と、
前記記録部により記録が行われた前記媒体を巻き取る巻取り部と、
テンション設定操作を受け付ける操作部と、
前記操作部が受け付けた前記テンション設定操作に基づいて、前記媒体の巻取りテンションの設定値である設定テンションを設定する設定部と、
前記設定部により設定された前記設定テンションに基づいて、前記巻取り部を制御する巻取り制御部と、
を備えたことを特徴とする記録装置。
【請求項２】
前記設定部が設定可能な前記設定テンションの値には、０［ｇｆ］以上１００［ｇｆ］未満の値と、１００［ｇｆ］以上の値と、が含まれることを特徴とする請求項１に記載の記録装置。
【請求項３】
前記設定部は、前記設定テンションとして、第１テンションと、第２テンションと、を設定し、
前記巻取り制御部は、前記巻取り部の稼動開始時に、前記第１テンションに基づいて、前記巻取り部を制御する第１制御と、前記第１制御の後、前記第２テンションに基づいて前記巻取り部を制御する第２制御と、を行い、
前記設定部が設定可能な前記第２テンションの値には、０［ｇｆ］以上１００［ｇｆ］未満の値と、１００［ｇｆ］以上の値と、が含まれることを特徴とする請求項１に記載の記録装置。
【請求項４】
前記設定部は、前記第２テンションを０［ｇｆ］以上１００［ｇｆ］未満の値に設定した場合は、前記第２テンションを１００［ｇｆ］以上の値に設定した場合に比べ、前記第１テンションを小さい値に設定することを特徴とする請求項３に記載の記録装置。
【請求項５】
前記設定部が設定可能な前記設定テンションの値は、７０００［ｇｆ］以下であることを特徴とする請求項３または４に記載の記録装置。
【請求項６】
前記操作部は、前記テンション設定操作として、前記巻取りテンションに関連付けられた複数の選択肢のなかから、一の選択肢を選択するための操作を受け付けることを特徴とする請求項１ないし５のいずれか一項に記載の記録装置。
【請求項７】
前記記録部は、前記インクとして昇華型インクを前記媒体に対して付与することを特徴とする請求項１ないし６のいずれか一項に記載の記録装置。
【発明の詳細な説明】
【技術分野】
【０００１】
本発明は、媒体を巻き取る巻取り部を備えた記録装置に関するものである。
【背景技術】
【０００２】
従来、被記録媒体に対して記録を行う記録部と、記録部により記録が行われた被記録媒体を巻き取る巻取り部とを備えた大型プリンターが知られている。この大型プリンターは、被記録媒体にテンションを掛けながら巻き取るテンション巻き取り方式と、被記録媒体にテンションを掛けずに巻き取る緩み巻き取り方式とを切替え可能である（特許文献１参照）。
【先行技術文献】
【特許文献】
【０００３】
【特許文献１】特開２００８−２５４８２７号公報
【発明の概要】
【発明が解決しようとする課題】
【０００４】
本発明者は、以下の課題を見出した。
従来の大型プリンターのような記録装置では、媒体に掛かる巻取りテンションを設定するための操作を受け付ける操作部が設けられていないため、ユーザーが希望する巻取りテンションで媒体を巻き取ることができない。
【０００５】
本発明は、ユーザーの希望に応じて巻取りテンションを切り替えることができる記録装置を提供することを課題としている。
【課題を解決するための手段】
【０００６】
本発明の記録装置は、媒体に対してインクを付与することによって記録を行う記録部と、記録部により記録が行われた媒体を巻き取る巻取り部と、テンション設定操作を受け付ける操作部と、操作部が受け付けたテンション設定操作に基づいて、媒体の巻取りテンションの設定値である設定テンションを設定する設定部と、設定部により設定された設定テンションに基づいて、巻取り部を制御する巻取り制御部と、を備えたことを特徴とする。
【０００７】
この構成によれば、例えば、設定テンションが小さい値に設定されるテンション設定操作を操作部が受け付けると、設定テンションが小さい値に設定され、弱い巻取りテンションで媒体が巻き取られる。一方、設定テンションが大きい値に設定されるテンション設定操作を操作部が受け付けると、設定テンションが大きい値に設定され、強い巻取りテンションで媒体が巻き取られる。したがって、本発明の記録装置は、ユーザーの希望に応じて巻取りテンションを切り替えることができる。
【０００８】
この場合、設定部が設定可能な設定テンションの値には、０［ｇｆ］以上１００［ｇｆ］未満の値と、１００［ｇｆ］以上の値と、が含まれることが好ましい。
【０００９】
この構成によれば、設定テンションが１００［ｇｆ］以上の値に設定された場合には、強い巻取りテンションで媒体が巻き取られる。この場合、媒体が巻き取られたロール体に巻きずれが生じ難くなる。これに対し、設定テンションが０［ｇｆ］以上１００［ｇｆ］未満の値に設定された場合には、弱い巻取りテンションで媒体が巻き取られる。この場合、巻き重なった媒体間で、裏移りが生じ難くなる。このため、ユーザーは、巻きずれの抑制が重視される場合には、設定テンションが１００［ｇｆ］以上の値に設定されるテンション設定操作を操作部に対して行えばよい。また、ユーザーは、裏移りの抑制が重視される場合には、設定テンションが０［ｇｆ］以上１００［ｇｆ］未満の値に設定されるテンション設定操作を操作部に対して行えばよい。
【００１０】
この場合、設定部は、設定テンションとして、第１テンションと、第２テンションと、を設定し、巻取り制御部は、巻取り部の稼動開始時に、第１テンションに基づいて、巻取り部を制御する第１制御と、第１制御の後、第２テンションに基づいて巻取り部を制御する第２制御と、を行い、設定部が設定可能な第２テンションの値には、０［ｇｆ］以上１００［ｇｆ］未満の値と、１００［ｇｆ］以上の値と、が含まれることが好ましい。
【００１１】
この構成によれば、第２テンションが１００［ｇｆ］以上の値に設定された場合には、第２制御時に強い巻取りテンションで媒体が巻き取られる。この場合、媒体が巻き取られたロール体に巻きずれが生じ難くなる。これに対し、第２テンションが０［ｇｆ］以上１００［ｇｆ］未満の値に設定された場合には、第２制御時に弱い巻取りテンションで媒体が巻き取られる。この場合、巻き重なった媒体間で、裏移りが生じ難くなる。このため、ユーザーは、巻きずれの抑制が重視される場合には、第２テンションが１００［ｇｆ］以上の値に設定されるテンション設定操作を操作部に対して行えばよい。また、ユーザーは、裏移りの抑制が重視される場合には、第２テンションが０［ｇｆ］以上１００［ｇｆ］未満の値に設定されるテンション設定操作を操作部に対して行えばよい。
【００１２】
この場合、設定部は、第２テンションを０［ｇｆ］以上１００［ｇｆ］未満の値に設定した場合は、第２テンションを１００［ｇｆ］以上の値に設定した場合に比べ、第１テンションを小さい値に設定することが好ましい。
【００１３】
この構成によれば、第２制御時に強い巻取りテンションで媒体が巻き取られる場合には、第１制御時にも強い巻取りテンションで媒体が巻き取られ、第２制御時に弱い巻取りテンションで媒体が巻き取られる場合には、第１制御時にも弱い巻取りテンションで媒体が巻き取られる。したがって、本構成によれば、第１制御時にも、第２制御時の巻取りテンションに応じた巻取りテンションで、媒体を巻き取ることができる。
【００１４】
この場合、設定部が設定可能な設定テンションの値は、７０００［ｇｆ］以下であることが好ましい。
【００１５】
この構成によれば、第２制御時に巻取りテンションが７０００［ｇｆ］を超えることが抑制されるため、媒体が巻取り部側へ引っ張り出され難くなる。したがって、本構成によれば、媒体の送り精度を向上させることができる。
【００１６】
この場合、操作部は、テンション設定操作として、巻取りテンションに関連付けられた複数の選択肢のなかから、一の選択肢を選択するための操作を受け付けることが好ましい。
【００１７】
この構成によれば、ユーザーは、複数の選択肢のなかから一の選択肢を選択することで、テンション設定操作を行うことができる。したがって、本構成によれば、操作部の操作性を向上させることができる。
【００１８】
この場合、記録部は、インクとして昇華型インクを媒体に対して付与することが好ましい。
【００１９】
昇華型インクにより記録が行われた媒体については、巻き重なった媒体間で、媒体の表裏一方の面に付与された昇華型インクが、媒体の表裏他方の面に移る裏移りが生じると、媒体の表裏一方の面に付与された昇華型インクのインク量が不均一となるため、昇華型インクが転写された転写対象物において色むらが生じるおそれがある。
これに対し、本構成によれば、そのような裏移りが生じる場合には、ユーザーは、設定テンションが小さい値に設定されるテンション設定操作を操作部に対して行えばよい。これにより、弱い巻取りテンションで媒体が巻き取られるため、巻き重なった媒体間で裏移りが生じることが抑制される。したがって、本構成によれば、昇華型インクが転写された転写対象物において色むらが生じることを抑制することができる。
【図面の簡単な説明】
【００２０】
【図１】本発明の一実施形態に係る記録装置の概略構成図である。
【図２】図１に示した記録装置の制御ブロック図である。
【図３】図１に示した記録装置の操作部が受け付けるテンション設定操作について説明するための図である。
【図４】図１に示した記録装置の制御部に記憶された制御テーブルを示す図である。
【発明を実施するための形態】
【００２１】
以下、添付の図面を参照し、本発明の一実施形態に係る記録装置１について説明する。この記録装置１は、転写用紙１００に対し、昇華型インクをインクジェット方式で付与することにより画像を形成する。画像が形成された転写用紙１００は、熱転写装置に供せされ、布帛等の染色対象物に重ねられた状態で加熱されることにより、転写用紙１００に形成された画像が染色対象物に転写される。
【００２２】
図１を参照して、記録装置１の概略構成について説明する。記録装置１は、媒体送り機構２と、プラテン３と、記録部５と、乾燥部６と、これらを支持する支持フレーム７とを備えている。また、図１では図示省略したが、記録装置１は、制御部９を備えている（図２参照）。
【００２３】
媒体送り機構２は、連続紙である転写用紙１００を、ロール・ツー・ロール方式で送る。媒体送り機構２は、繰出し部１１と、送り部１２と、巻取り部１３とを備えている。
【００２４】
繰出し部１１には、転写用紙１００がロール状に巻かれた繰出し側ロール体１０１がセットされる。繰出し部１１は、繰出し側支持部１４と、繰出しモーター１５（図２参照）とを備えている。繰出し側支持部１４は、繰出し側ロール体１０１を回転可能に支持する。繰出しモーター１５は、繰出し側ロール体１０１を回転させる駆動源となる。繰出しモーター１５が稼動すると、繰出し側ロール体１０１が繰出し方向に回転し、繰出し側ロール体１０１から転写用紙１００が繰り出される。
【００２５】
送り部１２は、繰出し側ロール体１０１から繰り出された転写用紙１００を、巻取り部１３に向けて送る。送り部１２は、ローラー対１６と、送りモーター１７（図２参照）とを備えている。なお、ローラー対１６の個数は特に限定されるものではなく、転写用紙１００の送り経路に沿って複数を並び設けてもよい。ローラー対１６は、駆動ローラー１８と従動ローラー１９とを備えている。駆動ローラー１８は、送りモーター１７から動力が伝達されることにより回転する。従動ローラー１９は、駆動ローラー１８に対して従動回転する。駆動ローラー１８と従動ローラー１９との間に、転写用紙１００が挟持される。送りモーター１７は、駆動ローラー１８を回転させる駆動源となる。送りモーター１７が稼動すると、駆動ローラー１８が回転し、駆動ローラー１８に向かって押し当てられる従動ローラー１９が駆動ローラー１８に従動し回転する。これにより、駆動ローラー１８と従動ローラー１９との間に挟持された転写用紙１００が、巻取り部１３に向けて送り出される。
なお、駆動ローラー１８には、ロータリーエンコーダーを有する送り側検出部２１（図２参照）が設けられている。送り側検出部２１から出力されるパルスに基づいて、駆動ローラー１８の回転角度α1が検出される。
【００２６】
巻取り部１３は、送られてきた転写用紙１００をロール状に巻き取る。本実施形態においては、巻取り部１３は、転写用紙１００を、記録部５により昇華型インクが付与された記録面１００ａが外側となり、昇華型インクが付与されていない非記録面１００ｂが内側となるようにして、巻き取る。なお、記録部５により昇華型インクが付与された記録面１００ａが内側となり、昇華型インクが付与されていない非記録面１００ｂが外側となるようにして、巻き取ってもよい。巻取り部１３は、巻取り側支持部２２と、巻取りモーター２３（図２参照）とを備えている。巻取り側支持部２２は、巻取り用の紙管２４を回転可能に支持する。紙管２４には、転写用紙１００の先端部が取り付けられている。紙管２４は、巻取りモーター２３からギア列を介して動力が伝達されることにより回転する。巻取りモーター２３は、紙管２４を回転させる駆動源となる。巻取りモーター２３が一方側に回転すると、紙管２４が巻取り方向に回転し、紙管２４に転写用紙１００が巻き取られる。紙管２４に転写用紙１００が巻き取られることにより形成されたロール体を、巻取り側ロール体１０２という。巻取りモーター２３が他方側に回転すると、紙管２４が巻取り方向とは逆の逆回転方向に回転し、紙管２４に巻き取られた転写用紙１００が巻き解かれる。
なお、巻取りモーター２３には、ロータリーエンコーダーを有する巻取り側検出部２５（図２参照）が設けられている。巻取り側検出部２５から出力されるパルスに基づいて、巻取りモーター２３の回転角度α0が検出される。
【００２７】
プラテン３は、ローラー対１６よりも転写用紙１００の送り下流側に設けられている。プラテン３は、上面を通過する転写用紙１００を支持する。プラテン３の上面には、複数の吸引穴２６が設けられている。吸引穴２６は、図示省略した吸引ファンに連なっている。吸引ファンが稼動すると、吸引穴２６に負圧が作用し、プラテン３の上面に転写用紙１００が吸着される。これにより、プラテン３の上面から転写用紙１００が浮き上がることが抑制され、転写用紙１００が記録部５の記録ヘッド２７（後述する）と干渉することが防止される。
【００２８】
記録部５は、プラテン３の上面に対向して設けられている。記録部５は、キャリッジ２８と、キャリッジ２８に搭載された記録ヘッド２７とを備えている。記録ヘッド２７は、プラテン３の上面に吸着された転写用紙１００に対して、昇華型インクを吐出する。記録ヘッド２７が搭載されたキャリッジ２８は、転写用紙１００の送り方向と交差する方向に、往復移動可能に構成されている。
【００２９】
乾燥部６は、記録部５よりも転写用紙１００の送り下流側に設けられている。乾燥部６は、媒体支持部３１と、媒体支持部３１の裏面に設けられたヒーター線３２とを備えている。ヒーター線３２が発熱することで、昇華型インクが付与された転写用紙１００が媒体支持部３１の表面を通過する際に、転写用紙１００の乾燥が促進される。
【００３０】
支持フレーム７は、バー部材３３を有している。バー部材３３は、乾燥部６と巻取り部１３との間において、転写用紙１００の送り経路を構成している。
【００３１】
以上のように構成された記録装置１は、媒体送り機構２による転写用紙１００の間欠送りの停止時に、キャリッジ２８が移動しながら記録ヘッド２７から昇華型インクを吐出する動作と、媒体送り機構２が転写用紙１００を間欠送りする動作とを、交互に繰り返し行う。これにより、転写対象物に転写される画像が転写用紙１００に形成される。
【００３２】
図２を参照して、記録装置１の制御系について説明する。操作部８は、ユーザーからの各種操作を受け付ける。操作部８は、選択肢を表示するディスプレイと、表示された選択肢を選択・決定するための各種キーとを備えている。なお、操作部８は、タッチパネルなど、他の構成であってもよい。
【００３３】
制御部９は、図示しないＣＰＵ（Central Processing Unit）、ＲＯＭ（Read Only Memory）、ＲＡＭ（Random Access Memory）などを備えている。制御部９のＣＰＵは、ＲＯＭからプログラムをロードしてＲＡＭを用いて実行し、記録装置１の各部を制御する。また、制御部９には、図示しないホスト装置（例えばパソコン）が通信可能に接続されている。制御部９は、印刷画像を表す画像データを、ホスト装置などから取得する。制御部９は、画像データに基づいて、記録ヘッド２７の吐出動作を制御する。
【００３４】
制御部９は、後述するように、転写用紙１００の巻取りテンションの設定値（以下「設定テンションＦ」という。）に基づいて算出した設定トルクＴにより、巻取りモーター２３を制御する。より具体的には、制御部９は、巻取りモーター２３の稼動開始時に、巻取りモーター２３を加速しながら回転させる加速制御と、加速制御の後、巻取りモーター２３を定速で回転させる定速制御とを行っている。制御部９は、設定テンションＦとして、加速時テンションＦ1と定速時テンションＦ2とを設定する。制御部９は、加速制御では、加速時テンションＦ1に基づいて算出した設定トルクＴにより、巻取りモーター２３を制御する。制御部９は、定速制御では、定速時テンションＦ2に基づいて算出した設定トルクＴにより、巻取りモーター２３を制御する。ここで、巻取りモーター２３の稼動開始時には、巻取り側ロール体１０２のイナーシャの影響により、送り部１２による転写用紙１００の送り速度に比べ、巻取り部１３による転写用紙１００の巻取り速度が遅れることから、巻取り速度が送り速度に追い付くように、加速時テンションＦ1は、定速時テンションＦ2よりも大きい値に設定される。
以下、加速時テンションＦ1および定速時テンションＦ2の設定方法と、設定トルクＴの設定方法とについて、順に説明する。
【００３５】
図３および図４を参照して、加速時テンションＦ1および定速時テンションＦ2の設定方法について説明する。操作部８は、所定のキー操作が為されると、図３に示したテンション設定画面５０を表示する。テンション設定画面５０には、複数のテンションレベル（例えば、レベル１〜レベル９の９つのテンションレベル）が選択可能に表示される。すなわち、テンション設定画面５０には、選択候補となるテンションレベルが、白黒反転して表示される。操作部８は、テンション設定操作、すなわち、テンション設定画面５０に表示された複数のテンションレベルから、１つのテンションレベルを選択するためのキー操作を受け付ける。
【００３６】
制御部９は、図４に示した制御テーブルを記憶している。この制御テーブルは、転写用紙１００の送り速度ごとに、テンションレベルと、割合設定値Ｆ1_ratio、オフセット値Ｆ1_offsetおよび定速時テンションＦ2とを関連付けたものである。転写用紙１００の送り速度は、テンション設定操作とは別の操作によって選択された記録モードなどに応じて設定された値である。
【００３７】
制御部９は、操作部８がテンション設定操作を受け付けると、制御テーブルを参照し、定速時テンションＦ2を設定する。例えば、操作部８がレベル１〜３のいずれかのテンションレベルを選択するための操作を受け付けると、制御部９は、定速時テンションＦ2を０［ｇｆ］に設定する。一方、操作部８がレベル４〜９のいずれかのテンションレベルを選択するための操作を受け付けると、制御部９は、定速時テンションＦ2を２０００〜７０００［ｇｆ］に設定する。
【００３８】
また、制御部９は、操作部８がテンション設定操作を受け付けると、制御テーブルを参照し、割合設定値Ｆ1_ratioおよびオフセット値Ｆ1_offsetを設定する。制御部９は、設定した割合設定値Ｆ1_ratioおよびオフセット値Ｆ1_offsetと、別途算出した基準加速テンションＦ0とに基づいて、加速時テンションＦ1を算出する。
Ｆ1＝Ｆ0・（Ｆ1_ratio／128）＋Ｆ1_offset_
ここで、基準加速テンションＦ0は、巻取り側ロール体１０２のロール半径Ｒ（ロール半径Ｒの算出方法については後述する）と、予め操作部８から入力された転写用紙１００の紙幅とに基づいて、算出された値である。具体的には、制御部９は、ロール半径Ｒが大きくなるほど、基準加速テンションＦ0が小さくなるように、紙幅が大きくなるほど、基準加速テンションＦ0が大きくなるように、基準加速テンションＦ0を算出する。基準加速テンションＦ0は、例えば、２０００〜１６０００［ｇｆ］の値に設定される。
図４に示した制御テーブルによれば、制御部９は、レベル１〜３が選択され、定速時テンションＦ2を０［ｇｆ］に設定する場合は、レベル４〜９が選択され、定速時テンションＦ2を２０００〜７０００［ｇｆ］に設定する場合に比べ、加速時テンションＦ1を小さい値に設定する。
【００３９】
次に、設定トルクＴの設定方法について説明する。制御部９は、まず、巻取りモーター２３を停止した状態で、送りモーター１７を回転させる。これにより、ローラー対１６と巻取り部１３との間で転写用紙１００が弛んだ状態となる。制御部９は、転写用紙１００が弛んだ状態で、巻取りモーター２３を回転させる。これにより、制御部９は、巻取りモーター２３のオフセットトルクＴ0を取得する。オフセットトルクＴ0は、静負荷時の巻取りモーター２３を回転させる際に必要な電流値に基づいて取得される。
【００４０】
続いて、制御部９は、ローラー対１６と巻取り部１３との間の転写用紙１００にテンションが掛かった状態で、送りモーター１７および巻取りモーター２３を回転させる。制御部９は、このときに送られた転写用紙１００の送り量である設定時送り量Ｌを、送り側検出部２１により検出された駆動ローラー１８の回転角度α1と、既知である駆動ローラー１８のローラー半径ｒとに基づいて、次式の関係から算出する。
Ｌ＝ｒ・α1
そして、制御部９は、巻取り側ロール体１０２のロール半径Ｒを、設定時送り量Ｌと、巻取り側検出部２５により検出された巻取りモーター２３の回転角度α2と、既知である、巻取りモーター２３と紙管２４との間のギア列の減速比Ｎとに基づいて、次式の関係から算出する。
Ｒ＝（Ｌ／α2）・Ｎ
なお、減速比Ｎは、紙管２４の回転角度をα0としたときに、Ｎ＝α2／α0で与えられる値である。
【００４１】
制御部９は、このようにして取得したオフセットトルクＴ0と、ロール半径Ｒと、上述したように設定した設定テンションＦ（加速時テンションＦ1または定速時テンションＦ2）とに基づいて、巻取りモーター２３の設定トルクＴを、次式の関係から算出する。
Ｔ＝（Ｆ・Ｒ−Ｔ0）／Ｎ
【００４２】
ここで、強い巻取りテンションで転写用紙１００が巻き取られると、巻取り側ロール体１０２において端面が揃わない巻きずれが生じ難くなる。しかしながら、この場合、巻き重なった転写用紙１００間で、転写用紙１００の記録面１００ａに付与された昇華型インクが、転写用紙１００の非記録面１００ｂに移る裏移りが生じやすくなる。巻取り側ロール体１０２において裏移りが発生すると、裏移り分だけ記録面１００ａに付与されている昇華型インクの量が減ってしまい、記録面１００ａの場所により、転写用紙１００の記録面１００ａに付与された昇華型インクのインク量が不均一となり、転写対象物に転写される色材の量にムラが生じるため、熱転写装置により転写対象物に転写された画像に色ムラが生じるおそれがある。一方、弱い巻取りテンションで転写用紙１００が緩く巻き取られると、巻き重なった転写用紙１００間で、裏移りが生じ難くなる。また、この場合、巻取り側ロール体１０２に巻きずれが生じやすくなるが、転写用紙１００が緩く巻かれているため、ユーザーが巻きずれを直すことは容易である。そのため、巻きずれの抑制が重視される場合には、強い巻取りテンションで転写用紙１００が巻き取られることが好ましく、裏移りの抑制が重視される場合には、弱い巻取りテンションで転写用紙１００が巻き取られることが好ましい。そこで、記録装置１は、テンション設定操作において、ユーザーが、強い巻取りテンションで転写用紙１００が巻き取られる場合と、弱い巻取りテンションで転写用紙１００が巻き取られる場合とを、選択できるようになっている。
【００４３】
例えば、操作部８が、レベル４〜９のいずれかのテンションレベルを選択するための操作を受け付けた場合には、上述したように、定速時テンションＦ2が２０００［ｇｆ］以上の値に設定されるため、定速制御時に、強い巻取りテンションで転写用紙１００が巻き取られる。つまり、巻取り部１３において転写用紙１００が固く巻かれる。これにより、巻取り側ロール体１０２に巻きずれが生じ難くなる。これに対し、操作部８が、レベル１〜３のいずれかのテンションレベルを選択するための操作を受け付けた場合には、定速時テンションＦ2が０［ｇｆ］に設定されるため、定速制御時に、弱い巻取りテンションで転写用紙１００が巻き取られる。つまり、巻取り部１３において転写用紙１００が緩く巻かれる。これにより、巻き重なった転写用紙１００間で、裏移りが生じ難くなる。したがって、昇華型インクが転写された転写対象物において色むらが生じることを抑制することができる。
【００４４】
また、操作部８が、レベル４〜９のいずれかのテンションレベルを選択するための操作を受け付けた場合には、加速制御時にも、比較的強い巻取りテンションで転写用紙１００が巻き取られる。これに対し、操作部８が、レベル１〜３のいずれかのテンションレベルを選択するための操作を受け付けた場合には、加速制御時にも、比較的弱い巻取りテンションで転写用紙１００が巻き取られる。
【００４５】
以上のように、本実施形態の記録装置１によれば、レベル１〜３のいずれかのテンションレベルを選択するための操作を受け付けた場合には、定速時テンションＦ2が０［ｇｆ］に設定され、弱い巻取りテンションで転写用紙１００が巻き取られる。一方、レベル４〜９のいずれかのテンションレベルを選択するための操作を受け付けた場合には、定速時テンションＦ2が２０００［ｇｆ］以上の値に設定され、強い巻取りテンションで転写用紙１００が巻き取られる。したがって、本実施形態の記録装置１は、ユーザーの希望に応じて巻取りテンションを切り替えることができる。具体的には、ユーザーは、巻きずれの抑制が重視される場合には、定速時テンションＦ2が２０００［ｇｆ］以上の値に設定される、レベル４〜９のいずれかのテンションレベルを選択するための操作を、操作部８に対して行えばよい。また、ユーザーは、裏移りの抑制が重視される場合には、定速時テンションＦ2が０［ｇｆ］に設定される、レベル１〜３のいずれかのテンションレベルを選択するための操作を、操作部８に対して行えばよい。
【００４６】
本実施形態の記録装置１によれば、定速制御時に強い巻取りテンションで転写用紙１００が巻き取られる場合には、加速制御時にも強い巻取りテンションで転写用紙１００が巻き取られ、定速制御時に弱い巻取りテンションで転写用紙１００が巻き取られる場合には、加速制御時にも弱い巻取りテンションで転写用紙１００が巻き取られる。したがって、本実施形態の記録装置１によれば、加速制御時にも、定速制御時の巻取りテンションに応じた巻取りテンションで、転写用紙１００を巻き取ることができる。
【００４７】
本実施形態の記録装置１によれば、制御部９が、定速時テンションＦ2を７０００［ｇｆ］以下の値に設定することから、定速制御時に巻取りテンションが７０００［ｇｆ］を超えることが抑制される。これにより、送り部１２に対して転写用紙１００が巻取り部１３側へ引っ張り出され難くなる。したがって、本実施形態の記録装置１によれば、送り部１２による転写用紙１００の送り精度を向上させることができる。
【００４８】
本実施形態の記録装置１によれば、操作部８に表示されたレベル１〜９のなかから一のテンションレベルを選択することで、テンション設定操作を行うことができる。したがって、本実施形態の記録装置１によれば、操作部８の操作性を向上させることができる。
【００４９】
本実施形態の記録装置１によれば、上述したように、操作部８がレベル１〜３のいずれかのテンションレベルを選択するための操作を受け付けた場合には、定速時テンションＦ2が０［ｇｆ］に設定され、弱い巻取りテンションで転写用紙１００が巻き取られるため、巻き重なった転写用紙１００間で裏移りが生じることが抑制される。したがって、本実施形態の記録装置１によれば、昇華型インクが転写された転写対象物において色むらが生じることを抑制することができる。
【００５０】
なお、制御部９は、「設定部」および「巻取り制御部」の一例である。転写用紙１００は、「媒体」の一例である。加速制御は、「第１制御」の一例であり、定速制御は、「第２制御」の一例である。加速時テンションＦ1は、「第１テンション」の一例であり、定速時テンションＦ2は、「第２テンション」の一例である。
本発明は上記した実施形態に限定されず、その趣旨を逸脱しない範囲で種々の構成を採用可能であることは言うまでもない。例えば、本実施形態は、以下のような形態に変更することができる。
【００５１】
操作部８は、複数のテンションレベルから一のテンションレベルを選択するための操作を受け付ける構成に限定されるものではなく、例えば、複数の定速時テンションＦ2の値から、一の定速時テンションＦ2の値を選択するための操作を受け付ける構成であってもよく、定速時テンションＦ2の値を所定範囲内で任意に入力するための操作を受け付ける構成であってもよい。
制御部９が設定可能な定速時テンションＦ2の値は、特に限定されるものではなく、例えば、０［ｇｆ］以上１００［ｇｆ］未満の値と、定速時テンションＦ2を１００［ｇｆ］以上７０００［ｇｆ］以下の値とが含まれる構成であってもよい。
制御部９は、加速制御時にも、定速時テンションＦ2と同じ値に基づいて、巻取りモーター２３を制御する構成であってもよい。
【００５２】
記録部５が吐出するインクは、昇華型インクに限定されるものではなく、例えば、水性インク、油性インク、溶剤インク、紫外線硬化型インクであってもよい。また、媒体の材質は特に限定されるものではなく、紙系、フィルム系など、種々の材質のものを用いることができる。
【符号の説明】
【００５３】
１                  ：記録装置
５                  ：記録部
８                  ：操作部
９                  ：制御部
１３                ：巻取り部
１００              ：転写用紙
【図１】
2016150518.tif 000003
【図２】
2016150518.tif 000004
【図３】
2016150518.tif 000005
【図４】
2016150518.tif 000006